(57)【要約】【課題】簡易的に光学式の水位センサの動作確認が行なえる空気調和装置の検査治具を提供することにある。【解決手段】ドレンパン上に設けた光学式の水位センサの動作確認を行なう検査治具として、黒色、または、暗色として屈曲させた平板を用い、この先端部に透明な検知材を設けて、前記水位センサのプリズム部へ押し当てる。この検知材は、透明で弾力性のあるシリコンゴムなどのもので、上記検査治具を前記プリズム部に押し当てることにより、前記検知材が変形して前記プリズム部を覆う様に密着して、前記水位センサの発光部から照射された光は、前記プリズム部より前記検知材へと透過されてしまうため、前記ドレンパン上へドレン水の代わりとなる水を滞留させ無くても、簡易的に前記水位センサの動作確認を行うことができる。【選択図】　　　図５
2004077090.tif 000002
【特許請求の範囲】
【請求項１】
ドレンパン上滞留するドレン水の検出を行う光学式の水位センサの動作確認を行なう空気調和装置の検査治具において、
屈曲した柄の先端部へ平板状の検査部を設けて、この検査部へ透明な検知材を備え、この検知材を前記光学式の水位センサのプリズム部へ押し当てて動作確認を行なわせることを特徴とする空気調和装置の検査治具。
【請求項２】
前記検知材を、透明で弾力性のある検知材としたことを特徴とする請求項１に記載の空気調和装置の検査治具。
【請求項３】
前記検査部を黒色、或いは、暗色としたことを特徴とする請求項１または２に記載の空気調和装置の検査治具。
【請求項４】
本体と前面パネルとを備え、この前面パネルを開いた際に前面に露出する熱交換器と、この熱交換器の下方に配置されたドレンパンとを備えた空気調和装置の動作確認を行なう空気調和装置の検査治具において、
前記トレンパン上に前記ドレンパンの水位を検出する光学式の水位センサを取り付け、前面パネルを開いた状態で前記水位センサと前記ドレンパンとの間に挿入可能な形状を持って屈曲した柄の先端部へ平板状の検査部を設けて、この検査部へ透明な検知材を備え、この検知材を前記光学式の水位センサのプリズム部へ押し当てて動作確認を行なわせることを特徴とする空気調和装置の検査治具。
【発明の詳細な説明】
【０００１】
【発明の属する技術分野】
光学式の水位センサを備えた空気調和装置の検査治具に関する。
【０００２】
【従来の技術】
これまでの空気調和装置では、室内熱交換器に結露した結露水をドレンパンで受け、ドレン水として前記ドレンパンに接続されたドレン配管より屋外へ排水していた。
【０００３】
また、このドレンパンには、前記ドレン配管の詰まりなどの異常を検出して、前記ドレンパンから前記ドレン水が溢れてしまうことを防止する水位センサが設けられていた。
【０００４】
この水位センサは、通常、リードスイッチを内蔵したパイプの外周に、磁石を内蔵したフロートを、可動自在に設けたフロート式の水位センサが用いられていた。
【０００５】
このフロート式の水位センサは、前記リードスイッチを内蔵したパイプを前記ドレンパンに垂直に設けて取り付け、前記ドレンパン上に滞留した前記ドレン水の水位に応じて、前記フロートが前記パイプを上下に移動することにより、前記フロートに内蔵した磁石の磁界で、前記パイプに内蔵された前記リードスイッチを動作させて、前記ドレンパン上に滞留した前記ドレン水が異常水位であるか否かを検出していた。
【０００６】
このフロート式の水位センサでは、工場での組立て作業時や、メンテナンス作業時の動作確認を行なう場合、細長い棒の様なもので、前記フロートを移動させれば、前記動作確認を行うことが可能であった。
【０００７】
これに対し、前記光学式の水位センサは、発光部と、受光部とが、透明なケース内で、下方へ向けて並べて設けられており、また、前記ケースの下端部は、プリズム部が設けられていた。
【０００８】
そして、この光学式の水位センサでの前記ドレンパン上に滞留した前記ドレン水の検出方法は、前記発光部から照射された光が、前記プリズム部の表面内側で内反射し、前記発光部と並べて設けられた前記受光部へ達するか否かにより行なわれるもので、例えば、前記プリズム部まで前記ドレン水が達していない場合、前記発光部から照射された前記光は、前記プリズム部の表面内側で内反射し、前記受光部へと達し、前記プリズム部まで前記ドレン水が達している場合には、前記発光部から照射された前記光は、前記プリズム部より前記ドレン水へと透過してしまい前記受光部へは到達しないものとなっていた。
【０００９】
つまり、この光学式の水位センサでは、前記プリズム部の表面内側での内反射を変化させることにより、その動作確認を行なわなければならなかった。
【００１０】
【発明が解決しようとする課題】
しかし、上記工場での組立て作業時や、メンテナンス作業時の動作確認を行なう場合、前記ドレンパンへ前記ドレン水の代わりとなる水を滞留させて、前記光学式の水位センサの動作確認を行なうには手間がかかり過ぎ、特に、前記メンテナンス作業時では、空気調和装置が設置された部屋で行なうこととなるため、ドレンパンからドレン水を溢れさせてしまう危険性があった。
【００１１】
このため、この光学式の水位センサの動作確認を容易に行なえる検査治具の開発が望まれていた。
【００１２】
そこで、本発明の目的は、簡易的に光学式の水位センサの動作確認が行なえる空気調和装置の検査治具を提供することにある。
【００１３】
【課題を解決するための手段】
請求項１に記載の発明は、ドレンパン上滞留するドレン水の検出を行う光学式の水位センサの動作確認を行なう空気調和装置の検査治具において、屈曲した柄の先端部へ平板状の検査部を設けて、この検査部へ透明な検知材を備え、この検知材を前記光学式の水位センサのプリズム部へ押し当てて動作確認を行なわせることを特徴とするものである。
【００１４】
請求項２に記載の発明は、請求項１に記載のものにおいて、前記検知材を、透明で弾力性のある検知材としたことを特徴とするものである。
【００１５】
請求項３に記載の発明は、請求項１または２に記載のものにおいて、前記検査部を黒色、或いは、暗色としたことを特徴とするものである。
【００１６】
請求項４に記載の発明は、本体と前面パネルとを備え、この前面パネルを開いた際に前面に露出する熱交換器と、この熱交換器の下方に配置されたドレンパンとを備えた空気調和装置の動作確認を行なう空気調和装置の検査治具において、前記トレンパン上に前記ドレンパンの水位を検出する光学式の水位センサを取り付け、前面パネルを開いた状態で前記水位センサと前記ドレンパンとの間に挿入可能な形状を持って屈曲した柄の先端部へ平板状の検査部を設けて、この検査部へ透明な検知材を備え、この検知材を前記光学式の水位センサのプリズム部へ押し当てて動作確認を行なわせることを特徴とするものである。
【００１７】
【発明の実施の形態】
以下に、添付図面を参照して本発明の一実施の形態を詳細に説明する。
【００１８】
図１は、光学式の水位センサを備えた空気調和装置の一例として、冷媒を循環させて冷暖房運転を行なう空気調和装置１００の冷媒回路図である。
【００１９】
空気調和装置１００は、室外ユニット１と、室内ユニット２とをユニット間配管３と、通信配線４とで接続して構成されている。
【００２０】
室外ユニット１には、冷媒を圧縮して吐出する圧縮機１０と、前記冷媒の循環方向を反転させる四方弁１１と、前記冷媒と大気との熱交換を行わせる室外熱交換器１２と、前記冷媒の減圧を行う減圧弁１３と、前記圧縮機１０へ流入する冷媒の気液分離を行うアキュームレータ１４とが冷媒配管で接続されて内蔵されており、さらに、前記室外熱交換器１２への送風を行う室外送風機１５と、この室外ユニット１の制御と、後述する室内ユニット２に内蔵された室内制御部２２との通信を行なう室外制御部１６とが内蔵されている。
【００２１】
室内ユニット２には、室内熱交換器２０と、この室内熱交換器２０への送風を行なう室内送風機２１と、この室内ユニット２の制御、および、上記室外ユニット１に内蔵された室外制御部１６との通信を行なう室内制御部２２とが内蔵されている。
【００２２】
図２は、この室内ユニット２のグリル３０を外し、室内ユニット２の一部内部について示した正面図である。
【００２３】
この図２を参照して、室内ユニット２内には、室内熱交換器２０が、室内ユニット２の吹出し口２８の上部付近まで設けられており、この室内ユニット２の側端部付近には、室内制御部２２が、室内制御ボックス２３に納められて設けられている。
【００２４】
また、室内熱交換器２０の内側には、長い円筒状のクロスフローファン２４が、送風モータ２５に取付けられて設けられており、前記送風モータ２５は、室内ユニット２のフレーム２６上の室内熱交換器２０と、室内制御ボックス２３との間の位置へ、防振材を介して配置固定されている。この送風モータ２５と、クロスフローファン２４とにより、室内送風機２１が構成されている。
【００２５】
さらに、室内熱交換器２０の下端部には、室内熱交換器２０に結露した結露水を受けるドレンパン２７が設けられ、前記ドレンパン２７の一側端部には、ドレン排水口３１ａが設けられ、このドレン排水口３１ａへ接続された図示しないドレン排水管より、室内ユニット２の背面側に向けて排水されるものとなっている。
【００２６】
そして、このドレンパン２７の前記一側端部の内壁は、黒色、または、暗色とされており、このドレンパン２７の前記一側端部上方に、光学式の水位センサ２９が設けられている。このドレンパン２７の前記内壁を黒色、または、暗色としている理由は、前記水位センサ２９が光学式であるため、この水位センサ２９の感度を良く使用するためには、前記水位センサ２９の周囲を成るべく暗所とする必要があることと、もし、外部からの外光が入射して来た場合でも、このドレンパン２７の表面での不用意な反射を避けるためである。
【００２７】
また、水位センサ２９は、図３に示す様に、樹脂ケース３４内に基板３５を設け、この基板３５上に発光部３６と、受光部３７とを並べたて配設した光学式の水位センサで、その前記樹脂ケース３４は、円筒形のケース部４０と、この円筒形の一端を山形に切り落とし、斜面４１ａ、４１ｂを備えたプリズム部３８とから構成され、前記発光部３６から照射された光が、樹脂ケース３４のプリズム部３８の表面内側で内反射し、前記受光部３７へ到達しているか否かにより、この水位センサ２９が設けられた位置まで水位が上昇しているか否かを判断するものである。
【００２８】
例えば、水位センサ２９まで前記ドレン水が達していない場合、前記発光部３６から照射された光の殆どは、樹脂ケース３４表面の前記プリズム部３８の内側で内反射して矢印ａの方向へ進み、受光部３７へと到達する様になっている。
【００２９】
これに対し、水位センサ２９のプリズム部３８まで前記ドレン水が達すると、前記発光部３６から照射された光の殆どは、樹脂ケース３４の前記プリズム部３８を矢印ｂの方向へ透過して前記ドレン水内へと放出されてしまい、前記発光部３６から照射された前記光は、受光部３７へ到達しないものとなっている。
【００３０】
この様に、この水位センサ２９は、前記プリズム部３８での内反射の有無により、前記ドレンパン２７に滞留した前記ドレン水の水位を検出するため、室内ユニット２へ組み込んだ状態で、この水位センサ２９の動作確認を行うには、前記ドレン排水口３１ａを塞ぎ、前記水位センサ２９のプリズム部３８に達するまでの水を、前記ドレンパン２７に滞留させて行なう必要があった。
【００３１】
そこで、図４に示す様な本願発明による検査治具４５を用いることにより、上記の様に、前記ドレン排水口３１ａを塞ぎ、前記水位センサ２９のプリズム部３８に達するまでの水を、前記ドレンパン２７に滞留させること無く、前記水位センサ２９の動作確認を行うことが可能である。
【００３２】
図４（ａ）は、検査治具４５の正面図であり、図４（ｂ）は、検査治具４５の側面図である。
【００３３】
この検査治具４５は、黒色、または、暗色に着色された樹脂や、金属の平板を屈曲して整形したもので、スティック部４７と、検査部４８とから構成されており、前記スティック部４７の先端に検査部４８が設けられている。この、スティック部４７は、図４（ａ）、図４（ｂ）に示す様に、平板としても丸棒としても良い。このスティック部４７と、検査部４８を黒色、または、暗色としている理由は、上記ドレンパン２７と同様、外光が入射された場合の反射を防ぐためである。
【００３４】
この検査部４８には、検知材４６が取り付けられており、この検知材４６は、透明なシリコンゴムなどで、弾力性のある板状のものである。
【００３５】
そして、この検査治具４５を、図５に示す様に、グリル３０を外した状態の室内ユニット２の前記水位センサ２９の前面上方から、前記ドレンパン２７と、前記水位センサ２９との間から挿入し、前記スティック部４７を下方へ押し下げることにより、前記検査部４８が上昇し、検知部４６が前記水位センサ２９のプリズム部３８へ押し当てられる。
【００３６】
この時、前記検知部４６は、図６に示す様に、前記プリズム部３８へ押し当てられることにより変形して、前記プリズム部３８を覆う様に密着することとなる。
【００３７】
これにより、水位センサ２９の発光部３６から照射された光は、矢印ｃの様に、前記プリズム部３８で内反射せず、前記検知材４６へと透過されていまうため、受光部３７へは到達しなくなるため、上記の様に、水位センサ２９のプリズム部３８に達するまでの水をドレンパン２７上に滞留させなくとも前記水位センサ２９の動作確認を行うことが可能となる。
【００３８】
また、この検知材４６は、上記説明の様に、透明なシリコンゴムなどであるため、弾力性のある固体であるため、この動作確認の作業終了後、前記プリズム部３８に前記検知材４６が付着し、前記水位センサ２９を誤動作させる心配も無い。
【００３９】
【発明の効果】
以上の説明の様に、ドレンパン上に設けた光学式の水位センサの動作確認を行なう検査治具として、黒色、または、暗色として屈曲させた平板を用い、この先端部に透明な検知材を設けて、前記水位センサのプリズム部へ押し当てることにより、前記検知材が変形して前記プリズム部を覆う様に密着することとなり、前記水位センサの発光部から照射された光は、前記プリズム部より前記検知材へと透過されてしまうため、前記ドレンパン上へドレン水の代わりとなる水を滞留させること無く、簡易的に前記水位センサの動作確認を行うことが可能となる。
【図面の簡単な説明】
【図１】空気調和装置の冷媒回路図である。
【図２】室内ユニット２のグリル３０を外した正面図である。
【図３】光学式の水位センサ２９の側面図である。
【図４】（ａ）は、検査治具４５の正面図であり、（ｂ）は、検査治具４５の側面図である。
【図５】本発明の検査治具４５で水位センサ２９の動作確認を行なう室内ユニット２のグリル３０を外した側面断面図である。
【図６】本発明による検査治具４５での動作確認中の水位センサ２９と、前記検査治具４５の検知材４６の状態を示した図である。
【符号の説明】
２０　室内熱交換器
２３　室内制御ボックス
２６　フレーム
２７ａ、２７ｂ　ドレンパン
２９　水位センサ
３４　樹脂ケース
３５　基板
３６　発光部
３７　受光部
３８　プリズム部
４０　ケース部
４１ａ、４１ｂ　斜面
４３　取付部
４４　信号線
４５　検査治具
４６　検知材
４７　スティック部
４８　検査部
１００　空気調和装置
【図１】
2004077090.tif 000003
【図２】
2004077090.tif 000004
【図３】
2004077090.tif 000005
【図４】
2004077090.tif 000006
【図５】
2004077090.tif 000007
【図６】
2004077090.tif 000008